(57)【要約】【課題】予め複数の基地局無線装置を１つのグループとして設定し、サービスエリアの異なる無線端末局間でも同一グループ内であれば通信する（以下「グループ通信」と呼ぶ）ことができるようにした無線通信システムを提供することにある。【解決手段】本発明は、複数の無線端末局９、１０と、該無線端末局間の無線通信の中継とサービスエリアの維持を行う複数の基地局無線装置３、４と、該各基地局無線装置を介して前記複数の無線端末局との通信／統制を行う複数の指令卓５、６と、異なる基地局無線装置間を同一グループとして設定するグループ設定部２１、該グループ設定部２１で設定された前記基地局無線装置間と送信選択または受信選択された指令卓との間の接続切替を行う接続切替部１２および前記グループ設定部で設定された基地局無線装置間でのサービスエリア内の無線端末局とグループ通信可能に接続制御する第１の折返し通信部１９を有する基地局制御装置８とを備えて構成した無線通信システムである。【選択図】  図１
2004201177.tif 000002
【特許請求の範囲】
【請求項１】
複数の無線端末局と、該無線端末局間の無線通信の中継とサービスエリアの維持を行う複数の基地局無線装置と、該各基地局無線装置を介して前記複数の無線端末局との通信／統制を行う複数の指令卓と、前記複数の基地局無線装置の各々と前記複数の指令卓の各々との間の接続切替を行う基地局制御装置とを備えて構成される無線通信システムであって、
前記基地局制御装置において、同一グループとして設定された異なる基地局無線装置間でのサービスエリア内の無線端末局とグループ通信可能に接続制御するように構成したことを特徴とする無線通信システム。
【請求項２】
複数の無線端末局と、
該無線端末局間の無線通信の中継とサービスエリアの維持を行う複数の基地局無線装置と、
該各基地局無線装置を介して前記複数の無線端末局との通信／統制を行う複数の指令卓と、
異なる基地局無線装置間を同一グループとして設定するグループ設定部、該グループ設定部で設定された前記基地局無線装置間と送信選択または受信選択された指令卓との間の接続切替を行う接続切替部および前記グループ設定部で設定された基地局無線装置間でのサービスエリア内の無線端末局とグループ通信可能に接続制御する第１の折返し通信部を有する基地局制御装置とを備えて構成したことを特徴とする無線通信システム。
【請求項３】
前記基地局制御装置の接続切替部において、所定の無線端末局から発呼があって前記第１の折返し通信部を接続制御してグループ基地局無線装置間でグループ通信している間に、所定の指令卓から発呼があって前記グループ基地局無線装置が送信選択されている場合、前記グループ基地局無線装置に対して強制的に割込処理を行うように構成したことを特徴とする請求項２記載の無線通信システム。
【請求項４】
前記基地局無線装置において、同一サービスエリア内のある無線端末局から発呼があった場合、音声信号を前記同一サービスエリア内の他の無線基地局に送信する第２の折返し通信部を有することを特徴とする請求項２または３記載の無線通信システム。
【請求項５】
前記基地局無線装置において、指令卓から送信選択されて基地局制御装置から音声信号とプレストーンが入力されたとき、該プレストーンを検出するプレス検出部を有し、同一サービスエリア内の通信中において、前記プレス検出部でプレストーンを検出した際、前記第２の折返し通信部を切替えて強制割込処理を行うように構成したことを特徴とする請求項４記載の無線通信システム。
【発明の詳細な説明】
【０００１】
【発明の属する技術分野】
本発明は、複数の無線端末局と、無線端末局間の無線通信の中継及びサービスエリアの維持を行う複数の基地局無線装置と、基地局無線装置と指令卓間の接続切替を行う基地局制御装置と、前記無線端末局との通信／統制を行う複数の指令卓とで構成される無線通信システムの実用性向上に関するものである。
【０００２】
【従来の技術】
実用化されている従来の無線通信システムとしては、複数の無線端末局と、無線端末局間の無線通信の中継とサービスエリアの維持を行う１つあるいは複数の基地局無線装置と、無線端末局との通信／統制を行う複数の指令卓と、基地局無線装置と指令卓間の接続切替を行う基地局制御装置とから構成される無線通信システムが知られている。
【０００３】
以下、従来の無線通信システム（従来技術１）の一例について図６を参照して説明する。図６はデジタル無線通信システムの構成を示すブロック図である。１は基地局無線装置３のサービスエリアであり、２は基地局無線装置４のサービスエリアとする。３、４は基地局無線装置で、運用中は常時送信状態でサービスエリア１、２を維持している。５、６は指令卓で、基地局制御装置７を介して接続する基地局無線装置３、４に対して、送信選択，受信選択し通信／統制を行う。指令卓５、６は、送信選択、受信選択を基地局制御装置７に接続している任意の複数の基地局無線装置に対して行うことが可能である。ここで送信選択された基地局無線装置は常時送信状態となり、指令卓と、当該基地局無線装置が維持するサービスエリア内の無線端末局との通信が可能となる。受信選択された基地局無線装置は、維持するサービスエリア内での無線端末局の通信を、受信選択している指令卓に伝送する。７は基地局制御装置で、複数の指令卓５、６と複数の基地局無線装置３、４との接続を、各指令卓の送信選択、受信選択によりクロスポイント１１で制御している。基地局制御装置７は、クロスポイント１１において、指令卓と、当該指令卓に送信選択された基地局無線装置への通信路を接続する。また、指令卓と当該指令卓に受信選択された基地局無線装置からの通信路を接続する。実際、指令卓は基地局無線装置に対して送受信選択もしくは受信選択のみで通信／統制を行っている。基地局無線装置は、当該基地局無線装置を受信選択している指令卓に対して、伝送する信号にトーンを重畳して受信情報を付加する（以下このトーンをビジートーンと呼ぶ）。指令卓は、送信選択している基地局無線装置に対して伝送する信号にトーンを重畳して送信情報を付加する（以下このトーンをプレストーンと呼ぶ）。基地局制御装置７は、無線端末局９または１０の発呼により当該無線端末局からの受信音声信号とビジートーンを、当該基地局無線装置を受信選択している全ての指令卓に伝送する。また指令卓からの音声信号とプレストーンを、当該指令卓が送信選択している全ての基地局無線装置に伝送する。サービスエリア１、２内では、指令卓と無線端末局との無線通信、あるいは同一サービスエリア１、２内における無線端末局間通信１３を行うことが可能である。
【０００４】
以下、無線端末局間通信１３について図７を参照して説明する。無線端末局９．２が発呼すると、信号は基地局無線装置３内の共用器１４を通り復調部１６で復調される。基地局無線装置３は復調した信号を音声符号化部１７にて復号し、基地局制御装置７へと伝送する。また、折返し通信部１８を経由し、復号した信号をもう一度符号化し、変調部１５にて変調を施した後、共用器１４を通りサービスエリア１内の他の無線端末局９．１に送信する。この折返し通信機能により無線端末局間通信１３を実現している。
【０００５】
以下、無線端末局９の発呼中に、指令卓５、６の発呼により基地局制御装置７からプレス信号を受信した場合（以下「指令卓強制割込」と呼ぶ）の各装置の動作について図７も交えて説明する。通常、基地局無線装置３は、折返し通信部１８のＳＷをＡ側に接続することで、無線端末局９からの受信音声を折返し送信してサービスエリア１内の無線端末局間通信１３を行っている。ここで、指令卓５からのプレストーンをプレス検出部２０で検出すると、サービスエリア１内の無線端末局８が通信を行っていても、折返し通信部１８のＳＷをＢ側に切替えて、基地局無線装置３はサービスエリア１に指令卓５からの音声信号をサービスエリア１内の無線端末局９に送信し、指令卓からの通信を優先する。図８は指令卓５の強制割込シーケンス図である。無線端末局９．１、無線端末局９．２は共に同一サービスエリア１内に存在している。指令卓５は基地局無線装置３を送受信選択しているものとする。図７に示すように、無線端末局９．２が発呼した場合、まず基地局無線装置３に音声信号が送られ、音声信号を受信した基地局無線装置３はサービスエリア１内にいる他の無線端末局９．１に音声信号を送信する。また基地局無線装置３は基地局制御装置７に音声信号とビジートーンを伝送する。基地局制御装置７は音声信号とビジートーンを受信し、受信先の基地局無線装置３を受信選択している指令卓５に音声信号とビジートーンを伝送する。ここで、指令卓５が、音声信号とビジートーンを受信している際に、発呼を行うと、指令卓５から音声信号とプレストーンが基地局制御装置７に伝送される。基地局制御装置７は音声信号とプレストーンを受信し、基地局無線装置３に音声信号とプレストーンを伝送する。基地局無線装置３はプレス検出部２０にてプレストーンを監視し、プレストーンを検出すると、折返し通信部１８のＳＷをＢ側に切替えて無線端末局間通信１３の中継を中断し、指令卓５からの音声信号を基地局無線装置３のサービスエリア１内にいる全ての無線端末局９に送信することにより、強制割込処理８０を行う。
【０００６】
また、従来技術として、特開平１０−３０３７８５号公報（従来技術２）には、複数の通信端末間で通信中に、新たな通信端末を加えて通信を行う際に、前記通信中の各通信端末のうちのいずれかにおいて、グループＩＤを設定し、このグループＩＤと現在中心中の通常データ用のホッピングパターンとを前記新たな通信端末に伝えるようにした無線通信システムが知られている。
【０００７】
【特許文献１】
特開平１０−３０３７８５号公報
【０００８】
【発明が解決しようとする課題】
前述の従来技術１では、基地局無線装置を介した同一サービスエリア内の無線端末局間通信を行うことは可能であるが、異なるサービスエリア内の無線端末局と通信することはできない課題を有していた。
【０００９】
本発明の目的は、上記課題を解決すべく、予め複数の基地局無線装置を１つのグループとして設定し、サービスエリアの異なる無線端末局間でも同一グループ内であれば通信する（以下「グループ通信」と呼ぶ）ことができるようにした無線通信システムを提供することにある。
【００１０】
【課題を解決するための手段】
上記の目的を達成するために、本発明は、複数の無線端末局と、該無線端末局間の無線通信の中継とサービスエリアの維持を行う複数の基地局無線装置と、該各基地局無線装置を介して前記複数の無線端末局との通信／統制を行う複数の指令卓と、前記複数の基地局無線装置の各々と前記複数の指令卓の各々との間の接続切替を行う基地局制御装置とを備えて構成される無線通信システムであって、前記基地局制御装置において、同一グループとして設定された異なる基地局無線装置間でのサービスエリア内の無線端末局とグループ通信可能に接続制御するように構成したことを特徴とする。
【００１１】
また、本発明は、基地局制御装置にグループ設定機能を追加し、折返し通信機能を基地局無線装置はもとより基地局制御装置にも設け、該基地局制御装置から通信を同一グループの基地局無線装置に折り返すことにより、サービスエリアの異なる無線端末局同士でも同一グループであれば通信を可能にするものである。
【００１２】
即ち、本発明は、複数の無線端末局と、該無線端末局間の無線通信の中継とサービスエリアの維持を行う複数の基地局無線装置と、該各基地局無線装置を介して前記複数の無線端末局との通信／統制を行う複数の指令卓と、異なる基地局無線装置間を同一グループとして設定するグループ設定部、該グループ設定部で設定された前記基地局無線装置間と送信選択または受信選択された指令卓との間の接続切替を行う接続切替部および前記グループ設定部で設定された基地局無線装置間でのサービスエリア内の無線端末局とグループ通信可能に接続制御する第１の折返し通信部を有する基地局制御装置とを備えて構成したことを特徴とする無線通信システムである。
【００１３】
また、本発明は、前記無線通信システムの基地局制御装置の接続切替部において、所定の無線端末局から発呼があって前記第１の折返し通信部を接続制御してグループ基地局無線装置間でグループ通信している間に、所定の指令卓から発呼があって前記グループ基地局無線装置が送信選択されている場合、前記グループ基地局無線装置に対して強制的に割込処理を行うように構成したことを特徴とする。
【００１４】
また、本発明は、前記無線通信システムの基地局無線装置において、同一サービスエリア内のある無線端末局から発呼があった場合、音声信号を前記同一サービスエリア内の他の無線基地局に送信する第２の折返し通信部を有することを特徴とする。
【００１５】
また、本発明は、前記無線通信システムの基地局無線装置において、指令卓から送信選択されて基地局制御装置から音声信号とプレストーンが入力されたとき、該プレストーンを検出するプレス検出部を有し、同一サービスエリア内の通信中において、前記プレス検出部でプレストーンを検出した際、前記第２の折返し通信部を切替えて強制割込処理を行うように構成したことを特徴とする。
【００１６】
【発明の実施の形態】
本発明に係る無線通信システムの実施の形態について図面を用いて説明する。
【００１７】
図１は本発明の無線通信システムの一実施の形態の概略構成を示すブロック図である。図２は基地局制御装置の一実施例を示すブロック図である。１は基地局無線装置３のサービスエリアであり、２は基地局無線装置４のサービスエリアとする。従って、基地局無線装置３、４の各々は、運用中は常時送信状態でサービスエリア１、２を維持することになる。指令卓５、６の各々は、基地局制御装置８を介して接続する基地局無線装置３、４に対して、送信選択，受信選択し通信／統制を行うものである。そのため、指令卓５、６の各々は、送信選択、受信選択を基地局制御装置７に接続している任意の複数の基地局無線装置に対して行うことが可能である。ここで送信選択された基地局無線装置は常時送信状態となり、指令卓と、当該基地局無線装置が維持するサービスエリア内の無線端末局との通信が可能となる。受信選択された基地局無線装置は、維持するサービスエリア内での無線端末局の通信を、受信選択している指令卓に伝送する。
【００１８】
基地局制御装置８は、複数の指令卓５、６と複数の基地局無線装置３、４との間の接続を、送信選択，受信選択により制御するクロスポイント（接続切替部）１２と、通信を同一グループの基地局無線装置に折り返す折返し通信部１９と、複数の基地局無線装置に対して同一グループとして設定してその情報をクロスポイント１２及び折返し通信部１９に提供するグループ設定部２１とを設けて構成する。更に、基地局制御装置８内には、図２に示すように、トーン除去フィルタ２４では、クロスポイント１２に入力する信号のビジートーン及びプレストーンを除去するトーン除去フィルタ２４ａおよび２４ｂと、指令卓５、６からのプレストーンを監視してプレストーンを検出すると該プレストーンを発生し、基地局無線装置３、４からのビジートーンを監視してビジートーンを検出すると該ビジートーンを出力するトーン発生・検出部２３と、クロスポイント１２または折返し通信部１９から得られる音声信号にプレストーンまたはビジートーンを重畳する加算部２５ａおよび２５ｂとが設けられている。上記構成により、基地局制御装置８は、クロスポイント（接続切替部）１２において、指令卓と当該指令卓に送信選択された基地局無線装置への通信路を接続し、また、指令卓と当該指令卓に受信選択された基地局無線装置からの通信路を接続することになる。
【００１９】
複数の基地局無線装置３、４の各々は、図５に示すように、共用器１４と、該共用器１４から得られる信号を復調する復調部１６と、該復調部１６で復調された信号を復号して折返し通信部１８に入力し、該折返し通信部１８からの音声信号を符号化する音声符号化部１７と、同一サービスエリア内の無線端末局間の通信をおこなう為の上記折返し通信部１８と、基地局制御装置８からのプレストーンを検出して折返し通信部１８を切り換えるプレス検出部２０と、上記音声符号化部１７で符号化された信号を変調させて共用器１４に入力させる変調器１５とを設けて構成される。従って、図４に示すように、例えば、無線端末局１０が発呼すると、信号は基地局無線装置４内の共用器１４を通り復調部１６で復調され、該復調した信号を音声符号化部１７にて復号し、折返し通信部１８を経由し、復号した信号をもう一度符号化し、変調部１５にて変調を施した後、共用器１４を通り同一サービスエリア２内の他の無線端末局に送信されることになる。同時に、折返し通信部１８からは、復号した信号（音声信号とビジートーン）を受信選択された指令卓に送信すべく基地局制御装置８へ送信されることになる。また、指令卓から送信選択された基地局無線装置に音声信号とプレストーンが送信されるとプレス検出部２０でプレストーンを検出して折返し通信部１８を切替えて強制割込処理が行われることになる。
【００２０】
上記構成により、サービスエリア１、２内では、指令卓と無線端末局との無線通信、あるいは同一サービスエリア１、２内における無線端末局間通信１３を行うことが可能である。特に、各基地局無線装置３、４内に設けられた折返し通信部１８の折返し通信機能により無線端末局間通信１３を実現している。
【００２１】
次に、グループ通信２２について説明する。基地局制御装置８内のＣＰＵ２８は、起動時に該基地局制御部８のメモリ２９内のグループ設定情報を読み出し、そのグループ設定情報でグループ設定部２１の設定を行う。なお、基地局制御装置８に、保守用ＰＣ３０を外部接続し、保守用ＰＣのキー入力に応じて、メモリ２９内のグループ設定情報をユーザに合わせて任意に設定することが可能である。以下の説明では基地局無線装置３、４は基地局制御装置８内のグループ設定部２１により同一グループとして設定されているものとする。図４に示すように、無線端末局１０が発呼して音声信号４１を無線により基地局無線装置４に送信し、基地局無線装置４内の折返し通信部１８から折り返されると同時に基地局制御装置８に音声信号とビジートーン４２が送信され、基地局制御装置８が基地局無線装置４から音声信号とビジートーン４２を受信した場合、基地局制御装置８の折返し通信部１９によって同一グループの基地局無線装置３に音声信号とプレストーン４３を折り返す。これにより基地局制御装置８を介して異なるサービスエリア１、２内のグループ通信２２を行うことができる。
【００２２】
以下に、グループ通信２２の詳細について、図２、図３および図４を参照して説明する。同一グループは、グループ設定部２１の制御により基地局無線装置間の送受信通信路を折返し通信部１９のＳＷ（通信路を選択できるものであれば良い。例えば半導体スイッチング素子でもよい。）を開閉することで構成される。トーン除去フィルタ２４ａ、２４ｂは、クロスポイント１２に入力する信号のビジートーン及びプレストーンを除去する。トーン発生・検出部２３は、指令卓５、６からのプレストーンを監視し、プレストーンを検出すると、当該指令卓５、６が送信選択している基地局無線装置への信号に、クロスポイント１２の出力部の加算部２５ａにてプレストーンを重畳させて伝送し、同じチャネルの基地局無線装置を受信選択している指令卓５，６へはクロスポイント１２の出力部の加算部２５ｂにてビジートーンを重畳させて伝送する。さらに、トーン発生・検出部２３は、基地局無線装置３、４からのビジートーンを監視し、ビジートーンを検出すると、当該基地局無線装置３、４を送信選択、受信選択している指令卓５、６へ、クロスポイント１２の出力部の加算部２５ｂにてビジートーンを重畳させて伝送し、折返し通信部１９を用いたグループ通信時は同一グループ内の他の基地局無線装置３または４への信号に、クロスポイント１２の出力部の加算部２５ａにてプレストーンを重畳させて伝送する。これにより異なるサービスエリア１、２内のグループ通信２２を行うことが可能となる。
【００２３】
図３はグループ通信時の指令卓発呼時におけるクロスポイント（接続切替部）１２のブロック図である。グループ設定部２１のグループ情報がクロスポイント１２にも伝送されることにより、クロスポイント１２はグループ設定されている基地局無線装置３、４への通信路を連動させる。つまり送信通信路接続ＳＷ２６及び受信通信路接続ＳＷ２７のＡとＡ'、ＢとＢ'、ＣとＣ'、ＤとＤ'とを連動して制御し、指令卓５が基地局無線装置３に対して送信選択、受信選択を行った場合、同一グループである基地局無線装置４も送信選択、受信選択する。他の指令卓６に関しても同様である。これで指令卓からの通信もグループ通信として行うことが可能となる。
【００２４】
図４は指令卓５が基地局無線装置３、４のグループを送信選択した場合の指令卓強制割込シーケンス図である。無線端末局９は基地局無線装置３のサービスエリア１内に、無線端末局１０は基地局無線装置４のサービスエリア２内に存在している。無線端末局１０が発呼した場合、音声信号４１は基地局無線装置４へと送信され、基地局無線装置４内の折返し通信部１８で折り返されて該基地局無線装置４からサービスエリア２内の他の無線端末局に音声信号４６が送られる。更に、基地局無線装置４の折返し通信部１８から基地局制御装置８に音声信号とビジートーン４２が送信され、基地局制御装置８においてまずトーン除去フィルタ２４ｂでビジートーンが除去された音声信号が折返し通信部１９およびクロスポイント１２に送信されることになる。そして、折返し通信部１９においてグループ設定部２１で設定された同一グループの通信路が選択されて折り返された音声信号に加算部２５ａでプレストーンが重畳されて同一グループである基地局無線装置３に音声信号及びプレストーン４３が伝送され、基地局無線装置３が維持するサービスエリア１内の無線端末局９に音声信号４４が送信されることになる。さらに、基地局制御装置８のクロスポイント１２（グループ設定部２１で設定された同一グループの受信通信路接続ＳＷ２６）において基地局無線装置４を受信選択している指令卓５にも、音声信号が出力され、加算部２５ｂでビジートーンが重畳されて音声信号とビジートーン４５が伝送される。
【００２５】
指令卓５が基地局無線装置３、４のグループを送信選択している状態で、基地局無線装置４から音声受信中に発呼すると、まず音声信号とプレストーン５０が基地局制御装置８に伝送される。基地局制御装置８は、指令卓５からのプレストーンをトーン発生・検出部２３で検出して受信すると、クロスポイント１２（グループ設定部２１で設定された同一グループの送信通信路接続ＳＷ２６）において指令卓５が送信選択している基地局無線装置３と該基地局無線装置３と同一のグループである基地局無線装置４に音声信号とプレストーン５１、５２を強制割込処理５５、５６して伝送する。この際、基地局制御装置８はグループ設定部２１でグループ設定されている全ての基地局無線装置３、４に、指令卓５からの通信を伝送することになる。この時、基地局制御装置８内では、トーン除去フィルタ２４ａでプレストーンが除去されてクロスポイント１２に入力され、クロスポイント１２の同一グルームの各々の出力部の加算部２５ａでプレストーンが重畳されて基地局無線装置３および４に音声信号とプレストーン５１、５２が伝送されることになる。更に、基地局無線装置３および４の各々からは、同一サービスエリア１、２の各々内の無線端末局９、１０に音声信号５３、５４が送信される。
【００２６】
以上によりグループ通信２２を行っている際に、指令卓５が通信を行った場合、送信選択されているグループ内の基地局無線装置３、４は直ちにグループ通信２２を中止し、指令卓５からの通信を受信することになる。これにより、グループ通信２２においても、指令卓強制割込５５、５６を行うことが可能となる。
【００２７】
【発明の効果】
本発明によれば、基地局制御装置内でグループを設定しておくことにより、サービスエリアが異なっていても同一グループ内であれば従来の機能を損なうことなく通信することが可能となる効果を奏する。
【図面の簡単な説明】
【図１】本発明に係る無線通信システムの一実施の形態の概略構成を示すブロック図である。
【図２】図１に示す基地局制御装置の一実施例を示すブロック図である。
【図３】図１に示す基地局制御装置内のグループ設定部で設定されたクロスポイント（接続切替部）を示す図である。
【図４】本発明に係る指令卓強制割込シーケンスを示す図である。
【図５】本発明に係る基地局無線装置の一実施例を示す内部構成図である。
【図６】従来の無線通信システムの一例の概略構成を示すブロック図である。
【図７】従来の基地局無線装置の一例の内部構成を示すブロック図である。
【図８】従来の無線通信システムの指令卓強制割込シーケンスを示す図である。
【符号の説明】
１、２…サービスエリア、３、４…基地局無線装置、５、６…指令卓、８…基地局制御装置、９、１０…無線端末局、１２…クロスポイント（接続切替部）、１３…無線端末局間通信（サービスエリア内通信）、１４…共用器、１５…変調部、１６…復調部、１７…音声符号化部、１８，１９…折返し通信部、２０…プレス検出部、２１…グループ設定部、２２…グループ通信、２３…トーン発生・検出部、２４ａ、２４ｂ…トーン除去フィルタ、２５ａ、２５ｂ…加算部、２６…送信通信路接続ＳＷ、２７…受信通信路接続ＳＷ、２８…ＣＰＵ、２９…メモリ、３０…保守用ＰＣ。
【図１】
2004201177.tif 000003
【図２】
2004201177.tif 000004
【図３】
2004201177.tif 000005
【図４】
2004201177.tif 000006
【図５】
2004201177.tif 000007
【図６】
2004201177.tif 000008
【図７】
2004201177.tif 000009
【図８】
2004201177.tif 000010